(57)【要約】【課題】安定していて倒れにくく、高さ調整も容易で、根太材の繋ぎ目に撓みが生じることが無く、施工性と強度に優れた根太システムを開発する。【解決手段】下面に長さ方向の溝を形成した根太材を連続して設ける。根太材の接続部を支持する根太受具、及び根太材の中間部を支持する根太受具の根太受板上面に前記根太材の溝に嵌合する突条を形成する。根太システムの組み立てが簡単であり、隣り合う根太材の端部が１個の根太受具で支持されるので、高さ調整作業が容易となる。また、根太材の端部が根太受具で支持されるので、上床のきしみが防止され、強度のすぐれたものとなる。【選択図】      図９
2007204930.tif 000002
【特許請求の範囲】
【請求項１】
上面に、根太材の下面に形成した溝と嵌合する突条を上面に突出形成した板状本体に、支持ボルトを螺着するための雌ねじ孔を上下方向に貫通して設けた根太受板であって、前記突条を、前記雌ねじ孔の両側に、該雌ねじ孔に向かう方向に形成したことを特徴とする根太受板。
【請求項２】
上面に、根太材の下面に形成した溝と嵌合する突条を上面に突出形成した板状本体に、支持ボルトを螺着するための雌ねじ孔を上下方向に貫通して設けた根太受板であって、前記雌ねじ孔が前記突条から直角方向に所定距離離れていることを特徴とする根太受板。
【請求項３】
上面に、根太材の下面に形成した溝と嵌合する突条を上面に突出形成した板状本体に、支持ボルトを螺着するための雌ねじ孔を上下方向に貫通して設けた根太受板であって、前記突条を前記雌ねじ孔の両側に形成し、その一方の側の突条は前記雌ねじ孔に向かう方向に形成し、他方の側の突条は反対側の突条と直角方向に形成したことを特徴とする根太受板。
【請求項４】
複数の根太材を、その接続部において、請求項１の根太受板の前記雌ねじ孔に支持ボルトを螺着した根太受具で支持する根太システムであって、前記根太材は下面に長さ方向の溝が形成され、前記接続部において隣り合う根太材の前記溝が前記根太受板の突条に嵌合していることを特徴とする根太システム。
【請求項５】
複数の根太材を、その接続部において請求項１又は３の根太受板の前記雌ねじ孔に支持ボルトを螺着した根太受具で支持する根太システムであって、前記根太材は下面に長さ方向の溝が形成され、前記接続部において隣り合う根太材が直線状に接続される部分は請求項１の根太受板を有する根太受具で支持し、隣り合う根太材が直角に接続される部分は請求項３の根太受板を有する根太受具で支持し、根太材の各接続部において、前記溝が前記突条に嵌合していることを特徴とする根太システム。
【請求項６】
請求項４又は５の根太システムにおいて、前記根太材のうちの少なくとも１つの根太材の中間部を、請求項２の根太受板に支持ボルトを螺着した根太受具で支持し、前記根太材の溝が前記請求項２の根太受板の突条に嵌合していることを特徴とする根太システム。
【請求項７】
請求項４、５又は６のいずれかの根太システムの上に床材を貼設したことを特徴とする二重床。
【発明の詳細な説明】
【技術分野】
【０００１】
本発明は、主に集合住宅のコンクリート等の躯体床の上に施工する根太システム、この根太システムにおいて根太を支持する根太受板、及びこの根太システム上に床材を貼設した二重床に関する。
【背景技術】
【０００２】
根太システムを用いた二重床は、例えば下記の特許文献１に記載されている。二重床は、例えば、コンクリートなどの躯体床の上に高さ調整可能な根太システムを所定間隔で設置し、その上に上床材を貼付して施工される。根太のなかで、特に壁際に設置されるものを際根太という。壁際に際根太を設置し、床の中央部分は根太に代えて発泡ポリスチレン等の発泡プラスチックでなるベース材を施工し、これら際根太及びベース材の上に上床材を貼付する方法もある。
【０００３】
図１６は、従来から普通に用いられる根太システムの例を示す平面図及び側面図である。これは、床の中央部分に用いる根太ユニットと同じ根太ユニット４０を壁際に並べて設置するものである。根太ユニット４０は根太材４１に所定間隔で貫通孔４２を開け、下面に雌ねじを有するボルト受４３をビスなどで取り付け、これに支持ボルト１６を螺着し、複数の支持ボルトで根太材４１を支持するものである（図１７）。支持ボルトを回転することで高さ調整をすることができる。
【特許文献１】特開平１０−２４５９６４号公報
【発明の開示】
【発明が解決しようとする課題】
【０００４】
上記のような従来の際根太施工には次のような問題点があった。
（い）根太ユニットを製作する場合、根太材に所定間隔で貫通孔を開け、さらにボルト受をビスなどで取り付けるので、製作作業が煩雑で時間がかかる。
（ろ）施工中根太ユニットが倒れやすく、非常に不安定で作業能率が悪い。
（は）根太システムどうしに連続性がなく、繋ぎ目において両側の根太ユニットの支持ボルトの高さ調整をしなければならないので、高さ調整する支持ボルトの数が多く、高さ調整に時間がかかる。
（に）根太ユニットどうしに連続性がないため、根太材の繋ぎ目に荷重がかかったときに根太材が撓みやすく、当該部分の上床にきしみが生じやすい。
【０００５】
本発明は、安定していて倒れにくく、高さ調整も容易で、根太材の繋ぎ目に撓みが生じることが無く、施工性と強度に優れた根太システム及びこの根太システムを利用した二重床を開発することを課題とする。
【課題を解決するための手段】
【０００６】
〔請求項１〕
本発明は、上面に、根太材の下面に形成した溝と嵌合する突条を上面に突出形成した板状本体に、支持ボルトを螺着するための雌ねじ孔を上下方向に貫通して設けた根太受板であって、前記突条を、前記雌ねじ孔の両側に、該雌ねじ孔に向かう方向に形成したことを特徴とする根太受板である。
【０００７】
〔請求項２〕
また本発明は、上面に、根太材の下面に形成した溝と嵌合する突条を上面に突出形成した板状本体に、支持ボルトを螺着するための雌ねじ孔を上下方向に貫通して設けた根太受板であって、前記雌ねじ孔が前記突条から直角方向に所定距離離れていることを特徴とする根太受板である。ここで、所定距離とは、根太材の溝に突条を嵌合した場合、雌ねじ孔が根太材の側部に露出する距離である。
【０００８】
〔請求項３〕
また本発明は、上面に、根太材の下面に形成した溝と嵌合する突条を上面に突出形成した板状本体に、
支持ボルトを螺着するための雌ねじ孔を上下方向に貫通して設けた根太受板であって、前記突条を前記雌ねじ孔の両側に形成し、その一方の側の突条は前記雌ねじ孔に向かう方向に形成し、他方の側の突条は反対側の突条と直角方向に形成したことを特徴とする根太受板である。
【０００９】
〔請求項４〕
また本発明は、複数の根太材を、その接続部において、請求項１の根太受板の前記雌ねじ孔に支持ボルトを螺着した根太受具で支持する根太システムであって、前記根太材は下面に長さ方向の溝が形成され、前記接続部において隣り合う根太材の前記溝が前記根太受板の突条に嵌合していることを特徴とする根太システムである。
【００１０】
〔請求項５〕
また本発明は、複数の根太材を、その接続部において請求項１又は３の根太受板の前記雌ねじ孔に支持ボルトを螺着した根太受具で支持する根太システムであって、前記根太材は下面に長さ方向の溝が形成され、前記接続部において隣り合う根太材が直線状に接続される部分は請求項１の根太受板を有する根太受具で支持し、隣り合う根太材が直角に接続される部分は請求項３の根太受板を有する根太受具で支持し、根太材の各接続部において、前記溝が前記突条に嵌合していることを特徴とする根太システムである。
【００１１】
〔請求項６〕
また本発明は、請求項４又は５の根太システムにおいて、前記根太材のうちの少なくとも１つの根太材の中間部を、請求項２の根太受板に支持ボルトを螺着した根太受具で支持し、前記根太材の溝が前記請求項２の根太受板の突条に嵌合していることを特徴とする根太システムである。
【００１２】
〔請求項７〕
また本発明は、請求項４、５又は６のいずれかの根太システムの上に床材を貼設したことを特徴とする二重床である。
【発明の効果】
【００１３】
請求項１の根太受板は、雌ねじ孔の両側の突条に、それぞれ根太材の溝を嵌合することで、根太材を直線的に接続し、根太システムをきわめて容易に製作することができる。
【００１４】
請求項２の根太受板は、根太材の中間部において、突条に根太材の溝を嵌合することで取り付け、根太材を容易に補強することができる。この根太受板は根太材の任意の位置に容易に取り付けることができる。
【００１５】
請求項３の根太受板は、雌ねじ孔の両側の突条に、それぞれ根太材の溝を嵌合することで、根太材を直角に接続し、根太システムをきわめて容易に製作することができる。
【００１６】
請求項４の根太システムは、前記請求項１の根太受板の突条に根太材の溝を嵌合することで根太材を直線的に接続し、容易に製作することができる。隣り合う根太材の端部が１個の根太受具で支持されるので、１個の根太受具の高さ調整を行うことで両側の根太材端部の高さ調整ができ、高さ調整作業が容易となる。また、根太材の端部が根太受具で支持されるので、根太の端部が撓むことがなく、上床のきしみが防止され、強度のすぐれたものとなる。
【００１７】
請求項５の根太システムは、前記請求項１又は３の根太受板の突条に根太材の溝を嵌合することで根太材を直線的又は直角に接続し、容易に製作することができる。隣り合う根太材の端部が１個の根太受具で支持されるので、１個の根太受具の高さ調整を行うことで両側の根太材端部の高さ調整ができ、高さ調整作業が容易となる。また、根太材の端部が根太受具で支持されるので、根太の端部が撓むことがなく、上床のきしみが防止され、強度のすぐれたものとなる。
【００１８】
請求項６の根太システムは、根太材の中間部において、根太材の溝に前記請求項２の根太受板の突条を嵌合して取り付け、根太材を補強したので、長い根太材を用いても根太システムの強度を確保できる。請求項２の根太受板は根太材の任意の位置に容易に取り付けることができる。この根太システムは、根太材端部の支持ボルトと根太材中間部の支持ボルトとが一直線上にないので、施工中において根太システムが安定して倒れにくく、二重床の施工を容易に行うことができる。
【００１９】
請求項７の二重床は、本発明の根太システムを用いて容易に施工でき、また、根太材の端部が根太受具で支持されるので、根太材端部が撓むことがなく、上床のきしみが防止され、強度のすぐれたものとなる。
【実施例】
【００２０】
図１〜３は実施例の根太受板の斜視図、図４は根太材の斜視図である。図１の根太受板１はプラスチックで一体成形されたもので、板状本体２の中央部に表裏貫通する雌ねじ孔３が形成され、上面には、雌ねじ孔３を挟んで両側に突条４が形成されている。雌ねじ孔３には、図６に示すように、支持ボルト１６を螺着する。両側の突条４は、雌ねじ孔の中心に向かう方向を向いて一直線上に設けられている。突条４は、図４に示す根太材１４下面の溝１５と嵌合するもので、図５、６に示すように、根太受板１の両側に根太材１４の端部を載置したときに、根太材１４の溝１５が突条４に嵌合する。
【００２１】
図２の根太受板５はプラスチックで一体成形されたもので、板状本体６に表裏貫通する雌ねじ孔７が形成され、上面には突条８が形成されている。雌ねじ孔７には、図６に示すように、支持ボルト１６を螺着する。根太受板５の上には、図５、６に示すように、根太材１４の中間部を載置する。この際突条８が根太材１４の溝１５と嵌合し、雌ねじ孔７が根太材１４の側方に露出するように、雌ねじ孔７は突条８から直角方向に所定距離離れた位置に設けられている。
【００２２】
図３の根太受板９はプラスチックで一体成形されたもので、板状本体１０の中央部に表裏貫通する雌ねじ孔１１が形成され、上面には、雌ねじ孔１１を挟んで両側に突条１２、１３根太受板が形成されている。雌ねじ孔１１には支持ボルト１６を螺着する。一方の突条１２は雌ねじ孔１１の中心に向かう方向を向き、他方の突条１３は突条１２と直角方向を向き、雌ねじ孔１１から所定距離離れて形成されている。突条１２、１３は、図４に示す根太材１４下面の溝１５と嵌合するもので、図７に示すように、根太受板９の両側に、相互に直角方向を向く２本の根太材１４の端部を載置したときに、根太材１４の溝１５が突条１２、１３に嵌合する。
【００２３】
図５は実施例の根太システムの平面図、図６は図５におけるＡ矢視図、図７は図５におけるＢ−Ｂ線断面図、図８は図５におけるＣ−Ｃ線断面図である。図５は、本発明の根太システムを壁Ｗの際に施工し、際根太として用いた例で、根太材１４を直線状に接続した場合を表している。図４の根太材１４の接続部分（端部）を、図１の根太受板１に支持ボルト１６を螺着した根太受具で支持している。また、根太材１４の中間部を、図２の根太受板５に支持ボルト１６を螺着した根太受具で支持している。根太材１４には溝１５が全長に亘って設けられているので、根太材１４の中間部の任意の位置を根太受板５に支持ボルト１６を螺着した根太受具で支持することができる。図５〜８は、本実施例の根太システムを際根太として用いた場合を示したが、本実施例の根太システムは際根太以外の、床の中央部の根太システムとして用いることができるのはもちろんである。
【００２４】
図９は実施例の根太システムを際根太として用いた例の平面図で、コーナー部分で根太材１４を直角に接続した場合を表している。根太材１４を直角に接続する部分は、根太材１４の端部を、図３の根太受板９に支持ボルト１６を螺着した根太受具で支持する。
【００２５】
図１０は、ある部屋に本発明の根太システムを際根太として適用した例を示す略平面図である。簡略化のため、根太受板１、５、９を小円で表している。根太材１４は全て根太受板１、９で接続され、中間部を適宜根太受板５で支持している。全ての根太材は両端を根太支持具で支持されるので、撓みにくい。また、根太材は所望の寸法に切断して使用できるので、根太材の無駄を最小限にすることができる。
【００２６】
上記実施例の根太システムは、根太材の間、又は根太材の側方に支持ボルト１６の頂面が露出しているので、ドライバーなどで上から支持ボルトを回転させることで高さ調整を行うことができる。
【００２７】
図１１〜１３は、他の実施例の根太受板の斜視図、図１４は他の根太材の斜視図である。図１１の根太受板２１はプラスチックで一体成形されたもので、前記図１の根太受板１の突条を２本にしたものであり、使用方法は根太受板１と同じである。板状本体２２の中央部に表裏貫通する雌ねじ孔２３が形成され、上面には、雌ねじ孔２３を挟んで両側に２本の平行する突条２４が形成されている。両側の２本の突条２４は、それぞれ雌ねじ孔に向かう方向を向いて直線上に設けられている。突条を複数設ける場合は、複数の突条の中心線が雌ねじ孔の中心を通るようにするのがよい。突条２４は、図１４に示す根太材１４下面の２本の溝１５と嵌合するものである。このように、根太材の溝、及び根太受板の突条は複数本とすることができる。
【００２８】
図１２の根太受板２５はプラスチックで一体成形されたもので、前記図２の根太受板５の突条を２本にしたものであり、使用方法は根太受板５と同じである。板状本体２６に表裏貫通する雌ねじ孔２７が形成され、上面には２本の突条２８が形成されている。雌ねじ孔２７は突条２８から直角方向に所定距離離れた位置に形成されている。
【００２９】
図１３の根太受板２９はプラスチックで一体成形されたもので、前記図３の根太受板９の突条を２本にしたものであり、使用方法は根太受板９と同じである。板状本体３０の中央部に表裏貫通する雌ねじ孔３１が形成され、上面には、雌ねじ孔３１を挟んで両側に突条３２、３３が形成されている。一方の突条３２は雌ねじ孔３１に向かう方向を向き、他方の突条３３は突条３２と直角方向を向き、雌ねじ孔３１から所定距離離れて設けられている。
【００３０】
図１５は、本発明の二重床の断面図で、図１０に示す、本発明の根太システムの上に床材（上床）を貼付したものである。床材は通常ベースボード３６と仕上げ材３７からなり、ベースボードは合板やパーティクルボード等、仕上げ材はフローリング、絨毯、畳等である。本実施例の二重床において、際根太以外の上床支持部材（床の中央部分）は、例えば、図５に示す根太材を直線的に接続した根太システムを躯体床Ｆの中央部分に所定間隔に並べたものとすることができる。また、従来の二重床と同様の構成とすることもできる。例えば、前記従来例として掲げた図１６、１７のような根太ユニットを躯体床Ｆの中央部分に所定間隔で並べたものや、前記特許文献１に記載されている発泡プラスチックのベース材等を用いることもできる。
【図面の簡単な説明】
【００３１】
【図１】実施例の根太受板１の斜視図である。
【図２】実施例の根太受板５の斜視図である。
【図３】実施例の根太受板９の斜視図である。
【図４】根太材１４の斜視図である。
【図５】実施例の根太システムの平面図である。
【図６】図５におけるＡ矢視図である。
【図７】図５におけるＢ−Ｂ線断面図である。
【図８】図５におけるＣ−Ｃ線断面図である。
【図９】実施例の根太システムの平面図である。
【図１０】実施例の根太システムの平面図である。
【図１１】実施例の根太受板２１の斜視図である。
【図１２】実施例の根太受板２５の斜視図である。
【図１３】実施例の根太受板２９の斜視図である。
【図１４】根太材３４の斜視図である。
【図１５】実施例の二重床の断面図である。
【図１６】従来の根太システムの平面図及び側面図である。
【図１７】従来の根太システムの断面図である。
【符号の説明】
【００３２】
１  根太受板
２  板状本体
３  雌ねじ孔
４  突条
５  根太受板
６  板状本体
７  雌ねじ孔
８  突条
９  根太受板
１０  板状本体
１１  雌ねじ孔
１２  突条
１３  突条
１４  根太材
１５  溝
１６  支持ボルト
２１  根太受板
２２  板状本体
２３  雌ねじ孔
２４  突条
２５  根太受板
２６  板状本体
２７  雌ねじ孔
２８  突条
２９  根太受板
３０  板状本体
３１  雌ねじ孔
３２  突条
３３  突条
３４  根太材
３５  溝
３６  ベースボード
３７  仕上げ材
４０  根太ユニット
４１  根太材
４２  貫通孔
４３  ボルト受
Ｗ  壁
Ｆ  躯体床
【図１】
2007204930.tif 000003
【図２】
2007204930.tif 000004
【図３】
2007204930.tif 000005
【図４】
2007204930.tif 000006
【図５】
2007204930.tif 000007
【図６】
2007204930.tif 000008
【図７】
2007204930.tif 000009
【図８】
2007204930.tif 000010
【図９】
2007204930.tif 000011
【図１０】
2007204930.tif 000012
【図１１】
2007204930.tif 000013
【図１２】
2007204930.tif 000014
【図１３】
2007204930.tif 000015
【図１４】
2007204930.tif 000016
【図１５】
2007204930.tif 000017
【図１６】
2007204930.tif 000018
【図１７】
2007204930.tif 000019